【手続補正書】
【提出日】平成19年7月24日(2007.7.24)
【手続補正１】
【補正対象書類名】明細書
【補正対象項目名】特許請求の範囲
【補正方法】変更
【補正の内容】
【特許請求の範囲】
【請求項１】  入力光を光増幅する部分を有し該入力光を複数に分岐する光分岐手段と、
該光分岐手段の光増幅部分を励起するための励起光を発生させる励起光源と、
該分岐手段からの光に含まれる励起光を阻止する光フィルタと、
該光フィルタからの出力をモニタするモニタ手段と、
該モニタ手段で検出した値に基づき励起光の制御を行なう制御手段とをそなえて構成されたことを特徴とする、光増幅器。
【手続補正２】
【補正対象書類名】明細書
【補正対象項目名】０００１
【補正方法】削除
【補正の内容】
【手続補正３】
【補正対象書類名】明細書
【補正対象項目名】０００２
【補正方法】変更
【補正の内容】
【０００２】
【発明の属する技術分野】
本発明は、光増幅器に関する。
【手続補正４】
【補正対象書類名】明細書
【補正対象項目名】００１２
【補正方法】変更
【補正の内容】
【００１２】
【発明が解決しようとする課題】
しかしながら、この刊行物に記載された技術には、単波長の光に係る技術であって、波長多重光に係る技術については、何ら言及されていない。
本発明は、このような課題に鑑み創案されたもので、光信号のパワーロスを分散させて高効率な増幅が行なえるとともに、インサービスでの分岐ポートの増設が可能となり、光アイソレータを不要にし若しくはアイソレーション所要値を小さくすることによる系の安定化が行なえ、また、全ポートの利得を一定に保つことができるような制御をかけることが可能となるような、光増幅器を提供することを目的とする。
【手続補正５】
【補正対象書類名】明細書
【補正対象項目名】００１３
【補正方法】変更
【補正の内容】
【００１３】
【課題を解決するための手段】
このため、本発明の関連技術の波長多重光増幅装置は、２つの入力ポートと２つの出力ポートとを有し、複数の波長の光信号からなる波長多重光信号を、その２つの入力ポートのうちの一方の入力ポートとしての信号入力ポートから入力されることにより、波長多重光信号をそれぞれ上記２つの出力ポートから出力する光分岐部と、この光分岐部の２つの出力ポートのそれぞれに接続された光増幅部とからなる第１の波長多重光増幅基本ユニットと、第１の波長多重光増幅基本ユニットと同じ構成であって、第１の波長多重光増幅基本ユニットの一方の光増幅部の出力側に、その信号入力ポートの入力側が接続された第２の波長多重光増幅基本ユニットと、第１の波長多重光増幅基本ユニットと同じ構成であって、第１の波長多重光増幅基本ユニットの他方の光増幅部の出力側に、その信号入力ポートの入力側が接続された第３の波長多重光増幅基本ユニットとからなる波長多重光増幅ユニットを複数そなえ、これらの波長多重光増幅ユニットが、その第１の波長多重光増幅基本ユニットにおける光分岐部の信号入力ポートを前段に位置する波長多重光増幅ユニットにおける第２の波長多重光増幅基本ユニット又は第３の波長多重光増幅基本ユニットの光増幅部の出力側に接続されるようにして、多段に接続され、更に、第１の波長多重光増幅基本ユニットと同じ構成であって、多段に配置された複数の波長多重光増幅ユニットのうちの最前段に配置される波長多重光増幅ユニットにおける第１の波長多重光増幅基本ユニットの信号入力ポートに、その一方の光増幅部の出力側が接続された第４の波長多重光増幅基本ユニットと、励起光源と、この励起光源からの励起光と波長多重光信号とを合波する合波部と、この合波部と第４の波長多重光増幅基本ユニットの信号入力ポートとの間に介装される利得等化器と、多段に配置された複数の波長多重光増幅ユニットのうちの最後段に配置される波長多重光増幅ユニットからの出力情報に基づいて多段に配置された複数の波長多重光増幅ユニットの利得制御を行なう利得制御手段とをそなえて構成されたことを特徴としている。
【手続補正６】
【補正対象書類名】明細書
【補正対象項目名】００１４
【補正方法】変更
【補正の内容】
【００１４】
そして、上述の本発明の関連技術においては、上記複数の波長多重光増幅基本ユニットのうちの少なくとも１つの波長多重光増幅基本ユニットにおける他方の入力ポートに、補助励起光源が接続されてもよく、また、上記複数の波長多重光増幅ユニットのうちの少なくとも１つの波長多重光増幅ユニットにおける第１の波長多重光増幅基本ユニットの信号入力ポートに、アイソレータが接続されてもよい。
【手続補正７】
【補正対象書類名】明細書
【補正対象項目名】００１５
【補正方法】変更
【補正の内容】
【００１５】
加えて、上述の本発明の関連技術においては、上記複数の波長多重光増幅ユニットのうちの少なくとも２つの波長多重光増幅ユニットについて、その前段側の波長多重光増幅ユニットにおける上記第２の及び第３の波長多重光増幅基本ユニットの各光増幅部出力側と、その後段側の各波長多重光増幅ユニットにおける第１の波長多重光増幅基本ユニットの信号入力ポート入力側との間が、それぞれ斜めコネクタを介して接続されていてもよい。
【手続補正８】
【補正対象書類名】明細書
【補正対象項目名】００１６
【補正方法】変更
【補正の内容】
【００１６】
さらに、上述の本発明の関連技術においては、第４の波長多重光増幅基本ユニットへの入力を検出する入力モニタをそなえ、利得制御手段が、出力情報及び入力モニタでの検出結果に基づいて利得制御信号を生成し、利得制御信号を利得等化器の入力側に設けられた励起光源へ供給して、この励起光源の励起状態を制御する制御部をそなえて構成することもできる。
【手続補正９】
【補正対象書類名】明細書
【補正対象項目名】００１７
【補正方法】変更
【補正の内容】
【００１７】
また、本発明の関連技術の波長多重光増幅装置は、２つの入力ポートと２つの出力ポートとを有し、複数の波長の光信号からなる波長多重光信号を、その２つの入力ポートのうちの一方の入力ポートとしての信号入力ポートから入力されることにより、波長多重光信号をそれぞれ上記２つの出力ポートから出力する光分岐部と、この光分岐部の２つの出力ポートのそれぞれに接続された光増幅部とからなる波長多重光増幅基本ユニットを複数そなえ、これらの波長多重光増幅基本ユニットが、その光分岐部における信号入力ポートを前段に位置する波長多重光増幅基本ユニットにおける光増幅部の出力側に接続されるようにして、多段に接続されるとともに、励起光源と、この励起光源からの励起光と波長多重光信号とを合波する合波部と、この合波部と多段に配置された複数の波長多重光増幅基本ユニットのうちの最前段に配置される波長多重光増幅基本ユニットの信号入力ポートとの間に介装される利得等化器と、多段に配置された複数の波長多重光増幅基本ユニットのうちの最後段に配置される波長多重光増幅基本ユニットからの出力情報に基づいて多段に配置された複数の波長多重光増幅基本ユニットの利得制御を行なう利得制御手段とをそなえて構成されたことを特徴としている。
【手続補正１０】
【補正対象書類名】明細書
【補正対象項目名】００１８
【補正方法】変更
【補正の内容】
【００１８】
そして、上述の本発明の関連技術においては、上記複数の波長多重光増幅基本ユニットのうちの少なくとも１つの波長多重光増幅基本ユニットにおける他方の入力ポートに、補助励起光源が接続されてもよく、また、上記複数の波長多重光増幅基本ユニットのうちの少なくとも１つの波長多重光増幅基本ユニットにおける信号入力ポートに、アイソレータが接続されてもよい。
【手続補正１１】
【補正対象書類名】明細書
【補正対象項目名】００１９
【補正方法】変更
【補正の内容】
【００１９】
加えて、上述の本発明の関連技術においては、上記複数の波長多重光増幅基本ユニットのうちの少なくとも２つの波長多重光増幅基本ユニットについて、その前段側の波長多重光増幅基本ユニットにおける光増幅部出力側と、その後段側の波長多重光増幅基本ユニットにおける信号入力ポート入力側との間が、斜めコネクタを介して接続されてもよい。
さらに、上述の本発明の関連技術においては、多段に配置された複数の波長多重光増幅基本ユニットのうちの最前段に配置される波長多重光増幅基本ユニットへの入力を検出する入力モニタをそなえ、利得制御手段が、出力情報及び入力モニタでの検出結果に基づいて利得制御信号を生成し、利得制御信号を利得等化器の入力側に設けられた励起光源へ供給して、この励起光源の励起状態を制御する制御部をそなえて構成することもできる。
【手続補正１２】
【補正対象書類名】明細書
【補正対象項目名】００２０
【補正方法】変更
【補正の内容】
【００２０】
そして、本発明の関連技術の波長多重光増幅装置は、２つの入力ポートと２つの出力ポートとを有し、複数の波長の光信号からなる波長多重光信号を、その２つの入力ポートのうちの一方の入力ポートとしての信号入力ポートから入力されることにより、波長多重光信号をそれぞれ上記２つの出力ポートから出力する光分岐部と、光分岐部の２つの出力ポートのそれぞれに接続された光増幅部とからなる波長多重光増幅基本ユニットをそなえ、励起光源と、この励起光源からの励起光と波長多重光信号とを合波する合波部と、この合波部と波長多重光増幅基本ユニットの信号入力ポートとの間に介装される利得等化器と、波長多重光増幅基本ユニットからの出力情報に基づいて波長多重光増幅基本ユニットの利得制御を行なう利得制御手段とをそなえて構成されたことを特徴としている。
【手続補正１３】
【補正対象書類名】明細書
【補正対象項目名】００２１
【補正方法】変更
【補正の内容】
【００２１】
そして、上述の本発明の関連技術においては、上記波長多重光増幅基本ユニットにおける他方の入力ポートに、補助励起光源が接続されてもよく、また、上記波長多重光増幅基本ユニットにおける信号入力ポートに、アイソレータが接続されてもよい。
さらに、上述の本発明の関連技術においては、波長多重光増幅基本ユニットへの入力を検出する入力モニタをそなえ、利得制御手段が、出力情報及び入力モニタでの検出結果に基づいて利得制御信号を生成し、利得制御信号を利得等化器の入力側に設けられた励起光源へ供給して、励起光源の励起状態を制御する制御部をそなえて構成することもできる。
【手続補正１４】
【補正対象書類名】明細書
【補正対象項目名】００２２
【補正方法】変更
【補正の内容】
【００２２】
また、上述の本発明の関連技術においては、上記波長多重光増幅基本ユニットにおける光分岐部は、１：１光カプラとして構成することができ、上記波長多重光増幅基本ユニットにおける光増幅部は、光分岐部での分岐損と同等の利得またはこの分岐損より低い利得を有する光増幅部として構成することができ、あるいは、上記波長多重光増幅基本ユニットにおける上記の光分岐部，光増幅部及び光分岐部・光増幅部接続部が、ガラス又は半導体製の光導波路で構成することができる。
【手続補正１５】
【補正対象書類名】明細書
【補正対象項目名】００２３
【補正方法】変更
【補正の内容】
【００２３】
さらに、上述の本発明の関連技術においては、上記の利得制御手段は、出力情報中の所望の波長光信号を選択するフィルタと、このフィルタで抽出された所望の波長光信号についてレーザ共振させるべく信号減衰させて、この減衰させた光信号を利得等化器の入力側に供給する光減衰器とをそなえて構成されてもよく、このフィルタが、伝送に必要な所要の波長帯域外の波長光信号を選択するフィルタとして構成されてもよい。
【手続補正１６】
【補正対象書類名】明細書
【補正対象項目名】００２４
【補正方法】変更
【補正の内容】
【００２４】
また、本発明の関連技術の波長多重光増幅装置は、Ｍ種類（Ｍは自然数）の波長の光信号からなる波長多重光信号とＮ種類の波長の光信号からなる波長多重光信号とを入力するとともに、（Ｍ＋Ｎ−Ｌ）種類（Ｎ，Ｌは自然数）の波長の光信号からなる波長多重光信号とＬ種類の波長の光信号からなる波長多重光信号とに分岐して出力する合流・分岐装置の分岐ポートに接続される波長多重光増幅装置であって、この波長多重光増幅装置が、２つの入力ポートと２つの出力ポートとを有し、Ｌ種類の波長の光信号からなる波長多重光信号を２つの入力ポートのうちの一方の入力ポートとしての信号入力ポートから入力されることにより、波長多重光信号をそれぞれ上記２つの出力ポートから出力する光分岐部と、光分岐部の２つの出力ポートのそれぞれに接続された光増幅部とからなる波長多重光増幅基本ユニットを複数そなえ、これらの波長多重光増幅基本ユニットが、その光分岐部における信号入力ポートを前段に位置する波長多重光増幅基本ユニットにおける光増幅部の出力側に接続されるようにして、多段に接続されるとともに、且つ、上記複数の波長多重光増幅基本ユニットのうち最前段に位置する波長多重光増幅基本ユニットの光分岐部の他方の入力ポートに接続された励起光源をそなえていることを特徴としている。
【手続補正１７】
【補正対象書類名】明細書
【補正対象項目名】００２５
【補正方法】変更
【補正の内容】
【００２５】
そしてまた、本発明の関連技術の波長多重光増幅装置は、光クロスコネクト装置におけるｍ×ｎ（ｍ，ｎは自然数）のマトリックス光スイッチに使用される波長多重光増幅装置であって、この波長多重光増幅装置が、２つの入力ポートと２つの出力ポートとを有し、複数の波長の光信号からなる波長多重光信号を２つの入力ポートのうちの一方の入力ポートとしての信号入力ポートから入力されることにより、波長多重光信号をそれぞれ上記２つの出力ポートから出力する光分岐部と、光分岐部の２つの出力ポートのそれぞれに接続された光増幅部とからなる波長多重光増幅基本ユニットを複数そなえ、これらの波長多重光増幅基本ユニットが、その光分岐部における信号入力ポートを前段に位置する波長多重光増幅基本ユニットにおける光増幅部の出力側に接続されるようにして、多段に接続されるとともに、且つ、上記複数の波長多重光増幅基本ユニットのうち最前段に位置する波長多重光増幅基本ユニットの光分岐部の他方の入力ポートに接続された励起光源をそなえていることを特徴としている。
【手続補正１８】
【補正対象書類名】明細書
【補正対象項目名】００２６
【補正方法】変更
【補正の内容】
【００２６】
さらに、本発明の関連技術の波長多重光増幅基本ユニットを用いた光アド・アンド・ドロップ装置は、Ｘ種類の波長の光信号からなる波長多重光信号を分配する初段ユニットと、この初段ユニットの出力側に接続されて、初段ユニットから出力される波長多重光信号をブロードキャストする第１ブロードキャストユニットと、この初段ユニットの出力側に接続されて、初段ユニットから出力される波長多重光信号をブロードキャストして光信号をドロップする第２ブロードキャストユニットと、光キャリア信号を出力して光信号をアドする光キャリア信号出力部と、第１ブロードキャストユニットの出力側および光キャリア信号出力部の出力側にそれぞれ接続されて、第１ブロードキャストユニットからの波長多重光信号と光キャリア信号出力部からの光キャリア信号とを選択的に出力する選択部とをそなえ、上記の初段ユニットが、２つの入力ポートと２つの出力ポートとを有し、Ｘ種類の波長の光信号からなる波長多重光信号を２つの入力ポートのうちの一方の入力ポートとしての信号入力ポートから入力されることにより、波長多重光信号をそれぞれ上記２つの出力ポートから出力し、かつ、他方の信号入力ポートに励起光源が接続された光分岐部と、この光分岐部の２つの出力ポートのそれぞれに接続された光増幅部とを有する初段波長多重光増幅基本ユニットとして構成され、上記の第１ブロードキャストユニットが、初段波長多重光増幅基本ユニットと同じ構成の合波用波長多重光増幅基本ユニットを複数そなえ、これらの合波用波長多重光増幅基本ユニットが、その光分岐部における信号入力ポートを前段に位置する合波用波長多重光増幅基本ユニットにおける光増幅部の出力側に接続されるべく、多段に接続されるように構成されるとともに、上記複数の合波用波長多重光増幅基本ユニットのうち最前段に位置する合波用波長多重光増幅基本ユニットにおける光分岐部の一方の入力ポートに、初段波長多重光増幅基本ユニットにおける一方の光増幅部の出力ポートが接続されるように構成され、上記の第２ブロードキャストユニットが、初段波長多重光増幅基本ユニットと同じ構成の分波用波長多重光増幅基本ユニットを複数そなえ、これらの分波用波長多重光増幅基本ユニットが、その光分岐部における信号入力ポートを前段に位置する分波用波長多重光増幅基本ユニットにおける光増幅部の出力側に接続されるべく、多段に接続されるように構成されるとともに、上記複数の分波用波長多重光増幅基本ユニットのうち最前段に位置する分波用波長多重光増幅基本ユニットにおける光分岐部の一方の入力ポートに、初段波長多重光増幅基本ユニットにおける他方の光増幅部の出力ポートが接続されるように構成され、且つ、上記複数の分波用波長多重光増幅基本ユニットのうち最後段に位置する分波用波長多重光増幅基本ユニットにおける光増幅部の出力側に所定の波長の光信号を選択して出力する複数のドロップ用光フィルタをそなえ、上記の選択部が、第１ブロードキャストユニットの最後段に位置する合波用波長多重光増幅基本ユニットにおける光増幅部の出力側にそれぞれ接続されて波長多重光信号の通過／遮断の切り換えを行なうＹ個のスイッチ部と、このスイッチ部の波長多重光信号ラインと光キャリア信号出力部からの光キャリア信号ラインとのカップリングを行なうＹ個のカップリング部と、カップリング部からのＹ種類の光信号を光波長多重して出力する多重部とを有し、スイッチ部が、第１ブロードキャストユニットからのＹ種類の波長多重光信号を通過させて多重部から出力するか、又は、光キャリア信号出力部からのＹ種類の光キャリア信号を多重部から出力するかを選択的に切り換えるように構成されていることを特徴としている。
【手続補正１９】
【補正対象書類名】明細書
【補正対象項目名】００２７
【補正方法】変更
【補正の内容】
【００２７】
そして、上述の本発明の関連技術においては、上記の波長多重光増幅装置は、第４の波長多重光増幅基本ユニットと、少なくとも再前段に配置される波長多重光増幅ユニットとに介装されて、第４の波長多重光増幅基本ユニットより出力される漏れ光信号から波長多重光信号成分を除去して励起光を抽出しこの励起光を複数に分波して出力する励起光再入力部が接続されてもよい。多段に接続された波長多重光増幅基本ユニットうちの最前段に配置された波長多重光増幅基本ユニットと、少なくとも再前段に配置される波長多重光増幅ユニットとに介装されて、最前段に配置された波長多重光増幅基本ユニットより出力される漏れ光信号から波長多重光信号成分を除去して励起光を抽出しこの励起光を複数に分波して出力する励起光再入力部が接続されてもよい。波長多重光増幅基本ユニットと同じ構成であって、波長多重光増幅ユニットの信号入力ポートに、その一方の光増幅部の出力側が接続された第４の波長多重光増幅基本ユニットと、第４の波長多重光増幅基本ユニットと、波長多重光増幅基本ユニットとに介装されて、第４の波長多重光増幅基本ユニットより出力される漏れ光信号から波長多重光信号成分を除去して励起光を抽出しこの励起光を複数に分波して出力する励起光再入力部とをそなえて構成することもできる。
【手続補正２０】
【補正対象書類名】明細書
【補正対象項目名】００２８
【補正方法】変更
【補正の内容】
【００２８】
加えて、上述の本発明の関連技術においては、励起光再入力部は、第４の波長多重光増幅基本ユニットから出力される漏れ光信号から波長多重光信号成分を除去して励起光を抽出するフィルタと、フィルタに接続されるとともに、出力側が少なくとも再前段に配置される波長多重光増幅ユニットにおける第２の波長多重光増幅基本ユニットの信号入力ポートと第３の波長多重光増幅基本ユニットの信号入力ポートとにそれぞれ接続され、フィルタにて抽出された励起光を再前段に配置される波長多重光増幅ユニットに入力する光分岐部とをそなえて構成されてもよい。最前段に配置された波長多重光増幅基本ユニットから出力される漏れ光信号から波長多重光信号成分を除去して励起光を抽出するフィルタと、フィルタに接続されるとともに、出力側が少なくとも再前段に配置される波長多重光増幅ユニットにおける第２の波長多重光増幅基本ユニットの信号入力ポートと第３の波長多重光増幅基本ユニットの信号入力ポートとにそれぞれ接続され、フィルタにて抽出された励起光を再前段に配置される波長多重光増幅ユニットに入力する光分岐部とをそなえて構成されてもよい。また、第４の波長多重光増幅基本ユニットから出力される漏れ光信号から波長多重光信号成分を除去して励起光を抽出するフィルタと、フィルタに接続されるとともに、出力側が波長多重光増幅ユニットにおける他方の入力ポートに接続され、フィルタにて抽出された励起光を波長多重光増幅基本ユニットに入力する光分岐部とをそなえて構成されてもよい。
【手続補正２１】
【補正対象書類名】明細書
【補正対象項目名】００２９
【補正方法】変更
【補正の内容】
【００２９】
さらに、本発明の関連技術の波長多重光増幅基本ユニットを用いた光アド・アンド・ドロップ装置は、Ｘ種類の波長の光信号からなる第１の波長多重光信号を分配する初段ユニットと、初段ユニットの出力側に接続されて、初段ユニットから出力される第１の波長多重光信号をブロードキャストする第１ブロードキャストユニットと、複数の光キャリア信号を合波して第２の波長多重光信号を出力する追加信号出力部と、初段ユニットの出力側と追加信号出力部の出力側とに接続されて、初段ユニットからの第１の波長多重光信号と追加信号出力部からの第２の波長多重光信号とのカップリングを行なう伝送出力部とをそなえ、初段ユニットが、２つの入力ポートと２つの出力ポートとを有し、Ｘ種類の波長の光信号からなる波長多重光信号を２つの入力ポートのうちの一方の入力ポートとしての信号入力ポートから入力されることにより、第１の波長多重光信号をそれぞれ上記２つの出力ポートから出力し、かつ、他方の信号入力ポートに励起光源が接続された光分岐部と、光分岐部の２つの出力ポートのそれぞれに接続された光増幅部とを有する初段波長多重光増幅基本ユニットとして構成され、第１ブロードキャストユニットが、初段波長多重光増幅基本ユニットと同じ構成の分波用波長多重光増幅基本ユニットを複数そなえ、これらの分波用波長多重光増幅基本ユニットが、その光分岐部における信号入力ポートを前段に位置する分波用波長多重光増幅基本ユニットにおける光増幅部の出力側に接続されるべく、多段に接続されるように構成されるとともに、上記複数の分波用波長多重光増幅基本ユニットのうち最前段に位置する分波用波長多重光増幅基本ユニットにおける光分岐部の一方の入力ポートに、初段波長多重光増幅基本ユニットにおける一方の光増幅部の出力ポートが接続されるように構成され、且つ、上記複数の分波用波長多重光増幅基本ユニットのうち最後段に位置する分波用波長多重光増幅基本ユニットにおける光増幅部の出力側に所定の波長の光信号を選択して出力する複数のドロップ用光フィルタをそなえ、追加信号出力部が、光キャリア信号を出力する複数の光キャリア信号発生部と、複数の光キャリア信号発生部側に接続されて、複数の光キャリア信号出力部からの複数の光キャリア信号を合波して第２の波長多重光信号を出力する多重部とをそなえ、伝送出力部が、初段ユニットと追加信号出力部とに接続されて、初段ユニットからの第１の波長多重光信号と追加信号出力部からの第２の波長多重光信号とをカップリングして第３の波長多重光信号を出力するカップリング部と、カップリング部からの第３の波長多重光信号を増幅してその増幅された第３の波長多重光信号を出力する光増幅器とをそなえて構成されたことを特徴としている。
【手続補正２２】
【補正対象書類名】明細書
【補正対象項目名】００３０
【補正方法】変更
【補正の内容】
【００３０】
さらに、上述の本発明の関連技術においては、初段ユニットの入力側に設けられ、光信号を増幅して増幅光信号を出力する増幅部が設けられ、増幅部と初段ユニットにおける光分岐部の信号入力ポートとに接続され、増幅光信号の分散を補償しこの分散補償した補償光信号を光分岐部の信号入力ポートに入力する第１分散補償部をそなえて構成することもできる。
【手続補正２３】
【補正対象書類名】明細書
【補正対象項目名】００３１
【補正方法】変更
【補正の内容】
【００３１】
そして、上述の本発明の関連技術においては、伝送出力部の光増幅器に接続されて、増幅された第３の波長多重光信号の分散を補償しこの分散補償した補償光信号を出力する第２分散補償部をそなえて構成することもできる。
また、本発明の関連技術の波長多重光増幅装置は、入力光を増幅する光増幅媒体と、光増幅媒体から出力される光信号を複数の光信号に分岐して、その分岐損を補償すべく、分岐された光信号のそれぞれを増幅する光分岐増幅部と、この光分岐増幅部に接続されて、光分岐増幅部からの光信号に従って、光増幅媒体の利得を制御する利得制御手段とをそなえて構成されたことを特徴としている。
【手続補正２４】
【補正対象書類名】明細書
【補正対象項目名】００３２
【補正方法】変更
【補正の内容】
【００３２】
さらに、本発明の光増幅器は、入力光を光増幅する部分を有し入力光を複数に分岐する光分岐手段と、光分岐手段の光増幅部分を励起するための励起光を発生させる励起光源と、該分岐手段からの光に含まれる励起光を阻止する光フィルタと、上記光フィルタからの出力をモニタするモニタ手段と、このモニタ手段で検出した値に基づき励起光の制御を行なう制御手段とをそなえて構成されたことを特徴としている。
【手続補正２５】
【補正対象書類名】明細書
【補正対象項目名】０１５９
【補正方法】変更
【補正の内容】
【０１５９】
【発明の効果】
以上詳述したように、本発明の関連技術の波長多重光増幅装置によれば、第１の波長多重光増幅基本ユニットと、第２の波長多重光増幅基本ユニットと、第３の波長多重光増幅基本ユニットとからなる波長多重光増幅ユニットが複数多段に接続されるとともに、第４の波長多重光増幅基本ユニットと、励起光源と、合波部と、利得等化器と、利得制御手段とをそなえて構成されているので、波長多重された光信号をまとめて増幅する場合よりも光信号パワーが大幅に小さくなり、従って、より高効率特性が得られる利点がある。また、第１〜第３の波長多重光増幅基本ユニットが、２つの入力ポートと２つの出力ポートとを有し、波長多重光信号をそれぞれ上記２つの出力ポートから出力する光分岐部と、この光分岐部の２つの出力ポートのそれぞれに接続された光増幅部とから構成されているので、光分配系の中に増幅媒体が分散されて配置される結果、光アイソレータに頼らずとも安定な光増幅器が実現できる利点がある。さらに、光増幅部と、光分岐部とが交互に接続されるため、増幅器内の実効利得が低くなって、反射に対して耐性が生じるようになり、また、分岐損よりも光増幅部の利得を低くすれば、実効利得がマイナスとなり、光アイソレータで各光増幅部を挟む必要がなくなり、系の簡易化が図れるようになる。その上、光増幅器と分配系とを含んだ系の過剰損を小さくでき、光アイソレータがなくても反射による不安定動作をなくすことができるようになる利点がある。
【手続補正２６】
【補正対象書類名】明細書
【補正対象項目名】０１６０
【補正方法】変更
【補正の内容】
【０１６０】
さらに、上述の本発明の関連技術において、第４の波長多重光増幅基本ユニットへの入力を検出する入力モニタをそなえ、利得制御手段が、出力情報及び入力モニタでの検出結果に基づいて利得制御信号を生成し、利得制御信号を利得等化器の入力側に設けられた励起光源へ供給して、この励起光源の励起状態を制御する制御部をそなえて構成することもでき、このようにすれば、全ての分岐ポートにおける利得の波長特性の制御が可能となり、最前段に設置された励起光源にフィードバック制御をかけることによって、全ポートにおける利得の波長特性を制御できるようになる。
【手続補正２７】
【補正対象書類名】明細書
【補正対象項目名】０１６１
【補正方法】変更
【補正の内容】
【０１６１】
また、本発明の関連技術の波長多重光増幅装置によれば、波長多重光増幅基本ユニットが多段に接続されるとともに、励起光源と、合波部と、利得等化器と、利得制御手段とをそなえて構成され、この波長多重光増幅基本ユニットが、２つの入力ポートと２つの出力ポートとを有し、波長多重光信号をそれぞれ上記２つの出力ポートから出力する光分岐部と、この光分岐部の２つの出力ポートのそれぞれに接続された光増幅部とから構成されているので、ユーザがサービスの増設を欲したときに、インサービスでの増設が簡易に行なえる利点がある。すなわち、ユーザは、この波長多重光増幅ユニットを新たに追加して購入することで、簡易に分岐数を拡張できるようになり、また、現在与えているサービスを中断せずに行なえるようになる。そして、最前段の励起光源が、最後段の波長多重光増幅基本ユニットを励起できる十分なパワーを有していれば、途中段の波長多重光増幅基本ユニットには励起光源を設置しなくてもよく、また、途中段の波長多重光増幅基本ユニットには必要に応じて励起光源を設置すればよく、さらに、全ての波長多重光増幅基本ユニットに励起光源を接続すること可能となり、柔軟な励起方法が採れるようになる利点がある。加えて、各要素内が同一特性を有する光部品で構成されているため、量産に適しており、優れた拡張性を有する。
【手続補正２８】
【補正対象書類名】明細書
【補正対象項目名】０１６２
【補正方法】変更
【補正の内容】
【０１６２】
さらに、上述の本発明の関連技術において、多段に配置された複数の波長多重光増幅基本ユニットのうちの最前段に配置される波長多重光増幅基本ユニットへの入力を検出する入力モニタをそなえ、利得制御手段が、出力情報及び入力モニタでの検出結果に基づいて利得制御信号を生成し、利得制御信号を利得等化器の入力側に設けられた励起光源へ供給して、この励起光源の励起状態を制御する制御部をそなえて構成することもでき、このようにすれば、全ての分岐ポートにおける利得の波長特性の制御が可能となり、最前段に設置された励起光源にフィードバック制御をかけることによって、全ポートにおける利得の波長特性を制御できるようになる。
【手続補正２９】
【補正対象書類名】明細書
【補正対象項目名】０１６３
【補正方法】変更
【補正の内容】
【０１６３】
さらに、本発明の関連技術の波長多重光増幅装置によれば、波長多重光増幅基本ユニットと、励起光源と、合波部と、利得等化器と、利得制御手段とをそなえて構成され、この波長多重光増幅基本ユニットが、２つの入力ポートと２つの出力ポートとを有し、波長多重光信号をそれぞれ上記２つの出力ポートから出力する光分岐部と、この光分岐部の２つの出力ポートのそれぞれに接続された光増幅部とから構成されているので、簡易な設備としてユーザに提供でき、また、ユーザは現在与えられているサービスを中断せずに簡易に分岐数を拡張できる利点がある。
【手続補正３０】
【補正対象書類名】明細書
【補正対象項目名】０１６４
【補正方法】変更
【補正の内容】
【０１６４】
さらに、上述の本発明の関連技術において、波長多重光増幅基本ユニットへの入力を検出する入力モニタをそなえ、利得制御手段が、出力情報及び入力モニタでの検出結果に基づいて利得制御信号を生成し、利得制御信号を利得等化器の入力側に設けられた励起光源へ供給して、励起光源の励起状態を制御する制御部をそなえて構成することもでき、このようにすれば、全ての分岐ポートにおける利得の波長特性の制御が可能となり、最前段に設置された励起光源にフィードバック制御をかけることによって、全ポートにおける利得の波長特性を制御できる利点がある。
【手続補正３１】
【補正対象書類名】明細書
【補正対象項目名】０１６５
【補正方法】変更
【補正の内容】
【０１６５】
そして、上述の本発明の関連技術において、上記複数の波長多重光増幅基本ユニットのうちの少なくとも１つの波長多重光増幅基本ユニット又は波長多重光増幅基本ユニットにおける他方の入力ポートに、補助励起光源が接続されてもよく、このようにすれば、必要に応じて励起光パワーを増加させることができる利点があり、また、光分岐部（１：１光カプラ）を利用して励起光源も等しく分配されるので、簡単な構成で各光増幅部へ等しい励起光パワーも供給できるようになり、励起光と信号光とを合波する合波器が不要またはその所要数を削減できる利点もある。
【手続補正３２】
【補正対象書類名】明細書
【補正対象項目名】０１６６
【補正方法】変更
【補正の内容】
【０１６６】
また、上述の本発明の関連技術において、上記複数の波長多重光増幅ユニットのうちの少なくとも１つの波長多重光増幅ユニットにおける第１の波長多重光増幅基本ユニットの信号入力ポート、若しくは、上記複数の波長多重光増幅基本ユニットのうちの少なくとも１つの波長多重光増幅基本ユニットにおける信号入力ポート、若しくは、上記波長多重光増幅基本ユニットにおける信号入力ポートに、アイソレータが接続されてもよく、このようにすれば、反射戻り光による不安定動作を回避できるだけでなく、出力側から入力側へ集まる逆方向ＡＳＥが遮断されて逆方向ＡＳＥによる光増幅器の飽和を防ぐことができる利点がある。
【手続補正３３】
【補正対象書類名】明細書
【補正対象項目名】０１６７
【補正方法】変更
【補正の内容】
【０１６７】
加えて、上述の本発明の関連技術において、上記複数の波長多重光増幅ユニットのうちの少なくとも２つの波長多重光増幅ユニットについて、その前段側の波長多重光増幅ユニットにおける上記第２の及び第３の波長多重光増幅基本ユニットの各光増幅部出力側と、その後段側の各波長多重光増幅ユニットにおける第１の波長多重光増幅基本ユニットの信号入力ポート入力側との間が、それぞれ斜めコネクタを介して接続されていてもよく、若しくは、上記複数の波長多重光増幅基本ユニットのうちの少なくとも２つの波長多重光増幅基本ユニットについて、その前段側の波長多重光増幅基本ユニットにおける光増幅部出力側と、その後段側の波長多重光増幅基本ユニットにおける信号入力ポート入力側との間が、斜めコネクタを介して接続されてもよく、このようにすれば、コネクタ面においての光の反射を起こさないで済むので、無駄な光の増幅を防止することができる利点がある。
【手続補正３４】
【補正対象書類名】明細書
【補正対象項目名】０１６８
【補正方法】変更
【補正の内容】
【０１６８】
さらに、上述の本発明の関連技術において、上記の利得制御手段は、出力情報中の所望の波長光信号を選択するフィルタと、このフィルタで抽出された所望の波長光信号についてレーザ共振させるべく信号減衰させて、この減衰させた光信号を利得等化器の入力側に供給する光減衰器とをそなえて構成されてもよく、このフィルタが、伝送に必要な所要の波長帯域外の波長光信号を選択するフィルタとして構成されてもよく、このようにすれば、フィードバックを掛けるポートが１ポートで済む上、最前段の励起光源から、各ポートの利得を一定に保つために励起光を変化させることができるようになり、簡易な構成で全てのポートの利得を一定に保つことが可能となる。
【手続補正３５】
【補正対象書類名】明細書
【補正対象項目名】０１６９
【補正方法】変更
【補正の内容】
【０１６９】
また、上述の本発明の関連技術において、上記波長多重光増幅基本ユニットにおける光分岐部は、１：１光カプラとして構成することができ、また、光増幅部は、光分岐部での分岐損と同等の利得またはこの分岐損より低い利得を有する光増幅部として構成することができ、また、上記の光分岐部，光増幅部及び光分岐部・光増幅部接続部が、ガラス又は半導体製の光導波路で構成することができるので、このようにすれば、出力側から見て、分岐と増幅が交互に行なわれていることとなって、各光増幅部は、２分岐により損失するパワーロス（例えば３ｄＢ）を補うだけの大きさの利得（例えば１８ｄＢ）で増幅すれば、理論限界値（例えば１５ｄＢｍ）を維持できるようになり、効率のよい拡張性を発揮できるようになる上、安定な光増幅器が実現できるようになり、光パワーが局所的に高くなる部分が無いので、より高効率特性が得られる利点がある。
【手続補正３６】
【補正対象書類名】明細書
【補正対象項目名】０１７０
【補正方法】変更
【補正の内容】
【０１７０】
また、本発明の関連技術の波長多重光増幅装置によれば、Ｍ種類の波長の光信号からなる波長多重光信号とＮ種類の波長の光信号からなる波長多重光信号とを入力するとともに、（Ｍ＋Ｎ−Ｌ）種類の波長の光信号からなる波長多重光信号とＬ種類の波長の光信号からなる波長多重光信号とに分岐して出力する合流・分岐装置の分岐ポートに接続されて使用されるので、簡易にブロードキャスト機能が実現でき、また、インサービスでの分岐ポートの増設が可能となる利点がある。
【手続補正３７】
【補正対象書類名】明細書
【補正対象項目名】０１７１
【補正方法】変更
【補正の内容】
【０１７１】
さらに、本発明の関連技術の波長多重光増幅装置によれば、光クロスコネクト装置におけるｍ×ｎのマトリックス光スイッチに使用されるので、光加入者系などの分配系に用いることができ、簡易でかつインサービスでの増設性を利用できるようになる。
さらに、本発明の波長多重光増幅基本ユニットを用いた光アド・アンド・ドロップ装置は、初段ユニットと、第１ブロードキャストユニットと、第２ブロードキャストユニットと、光キャリア信号出力部と、選択部とをそなえるとともに、励起光源，ドロップ用光フィルタをそなえ、上記の選択部が、Ｙ個のスイッチ部と、Ｙ個のカップリング部と、多重部とを有し、このスイッチ部が、Ｙ種類の波長多重光信号を通過させて多重部から出力するか、又は、Ｙ種類の光キャリア信号を多重部から出力するかを選択的に切り換えるように構成されているので、同一の波長多重光増幅ユニットを用いてアド及びドロップ機能が実現でき、そして、これにより、光ネットワークが柔軟に増設又は拡張されることができるようになる利点がある。また、コピーされた波長多重信号が用いられるので、他の波長への影響を考慮せずに、所望の波長の抽出処理が行なえるとともに、例えばコヒーレントクロストークを簡単に回避できる利点がある。
【手続補正３８】
【補正対象書類名】明細書
【補正対象項目名】０１７２
【補正方法】変更
【補正の内容】
【０１７２】
そして、本発明の関連技術の波長多重光増幅装置によれば、入力光を増幅する光増幅媒体と、光増幅媒体から出力される光信号を複数の光信号に分岐して、その分岐損を補償すべく、分岐された光信号のそれぞれを増幅する光分岐増幅部と、分岐増幅部に接続されて、分岐増幅部からの光信号に従って、光増幅媒体の利得を制御する利得制御手段とをそなえて構成されているので、漏れ励起光が、再度利用できて効率的な増幅を行なえる利点がある。
【手続補正３９】
【補正対象書類名】明細書
【補正対象項目名】０１７３
【補正方法】変更
【補正の内容】
【０１７３】
加えて、本発明の光増幅器によれば、入力光を光増幅する部分を有し入力光を複数に分岐する光分岐手段と、光分岐手段の光増幅部分を励起するための励起光を発生させる励起光源と、該分岐手段からの光に含まれる励起光を阻止する光フィルタと、上記光フィルタからの出力をモニタするモニタ手段と、このモニタ手段で検出した値に基づき励起光の制御を行なう制御手段とをそなえて構成されているので、系の過剰損を小さくでき、安定な動作が可能となる利点がある。